(57)【要約】    【課題】簡単な構造で急発進時や急制動時の過大トルクを抑制するトルクリミッタを備えた油圧式動力伝達装置を提供する。    【解決手段】油圧式動力伝達装置１０は、ワッシャ部材３６の内周側を支持するハウジング１２の端面にワッシャ部材３６を浮動状態に支持する逃し凹部４２をカム面１６のカム斜面に対応して円周方向の複数箇所に分離形成し、吸入連通路３４を介してワッシャ部材３６に加わる油圧が所定の設定圧を超えた際のワッシャ部材３６の逃し凹部４２への変形により高圧油をドレーンさせるトルクリミッタ機構を設ける。    【選択図】      図１
2006138434.tif 000002
【特許請求の範囲】
【請求項１】
前輪と後輪を個別に駆動する２軸の内の第１軸に連結され、内側面に２つ以上のカム山を有するカム面を形成したハウジングと、
第２軸に連結されると共に、前記ハウジング内に回転自在にかつ対向的に収納され、複数のピストン室を前記カム面に面して軸方向に形成し、前記ピストン室のカム面の反対側に前記ピストン室に連通する吸入連通路と各吸入連通路を連通する環状の吸入連通溝を設けると共に、流動抵抗発生手段としてのオリフィスを備えた前記ピストン室に連通する吸入吐出連通路と各吸入吐出連通路を連通する環状の吸入吐出連通溝を設けたロータと、
前記複数のピストン室の各々に、リターンスプリングの押圧を受けて往復移動自在に収納されると共に、前記第１軸と第２軸間の相対回転時に前記カム面によって駆動される複数のピストンと、
前記ロータの前記吸入連通溝及び前記吸入吐出連通溝を形成した端面側に前記ハウジングに固定して配置され、前記吸入吐出連通溝を閉鎖すると共に、前記吸入連通溝を低圧室に連通する共通吸入口を開口したワッシャ部材と、
を備え、前記第１軸と第２軸の軸間の回転速度差に応じたトルクを伝達する油圧式動力伝達装置に於いて、
前記ワッシャ部材の内周側を支持する前記ハウジングの端面に、前記ワッシャ部材を浮動状態に支持する逃し凹部を前記カム面の斜面に対応して円周方向の複数箇所に分離形成し、前記吸入連通路を介して前記ワッシャ部材に加わる油圧が所定の設定圧を超えた際の前記ワッシャ部材の前記逃し凹部への変形により前記ピストン室の高圧油をドレーンさせるトルクリミッタ機構を設けたことを特徴とする油圧式動力伝達装置。
【請求項２】
請求項１記載の油圧式動力伝達装置に於いて、前記トルクリミッタ機構のリミットトルクを決める設定圧を、前記ワッシャ部材の厚さ、前記逃し凹部の径方向の長さ、及び前記逃し凹部の円周方向の角度範囲の少なくとも何れかを調整して設定することを特徴とする油圧式動力伝達装置。
【請求項３】
請求項１記載の油圧式動力伝達装置に於いて、前記トルクリミッタ機構は、エンジン側からの動力伝達を受けて前記第１軸と第２軸の軸間の正方向相対回転により回転速度差に応じたトルクを発生するドライブ時と、車輪側からの動力伝達を受けて前記第１軸と第２軸の軸間に逆方向相対回転による回転速度差に応じたトルクを発生するコースト時とで、前記設定圧を異なる値に設定したことを特徴とする油圧式動力伝達装置。
【請求項４】
請求項３記載の油圧式動力伝達装置に於いて、前記トルクリミッタ機構は、ドライブ時に吐出工程となるカム斜面に対応した前記ワッシャ部材における前記逃し凹部の円周方向の角度範囲を小さくし、コースト時に吐出工程となるカム斜面に対応した前記逃し凹部の円周方向の角度範囲を大きくしたことを特徴とする油圧式動力伝達装置。
【発明の詳細な説明】
【技術分野】
【０００１】
本発明は、四輪駆動車の前輪と後輪の回転差に応じてトルク配分を行う油圧式動力伝達装置に関し、特に急発進時や急制動時に発生する過大トルクをカットするトルクリミッタ機構を備えた油圧式動力伝達装置に関する。
【背景技術】
【０００２】
従来の油圧式動力伝達装置を備えたＦＦ方式の４輪駆動車を図７に示す。図７において、エンジン１００からの動力はフロントプロペラシャフト１０１により左右の前輪１０２Ｌ，１０２Ｒに伝達され、同時に油圧式動力伝達装置１０３からリアプロペラシャフト１０４により左右の後輪１０５Ｌ，１０５Ｒに伝達される。
【０００３】
従来の油圧式動力伝達装置１０３にあっては、フロントプロペラシャフト１０１を連結したハウジングとリアプロペラシャフト１０４を連結したロータを備え、ハウジングは内側面に２つ以上のカム山を有するカム面を形成し、ロータはハウジング内に回転自在に配置され、ロータには複数のピストン室がカム面に面して軸方向に形成され、ピストン室のカム面の反対側には吸入及び吐出用の連通路を設けている。
【０００４】
ロータのピストン室の各々には、リターンスプリングの押圧を受けてピストンが往復移動自在に収納され、フロントプロペラシャフト１０１とリアプロペラシャフト１０４の間に回転速度差が生じた時にカム面によって駆動される。ロータの各ピストン室に形成した連通路の開口端面側にはピストン室ごとにオリフィスを形成している。
【特許文献１】特開平５−０４４７４２号公報
【特許文献２】特許第２９５２１３９号
【発明の開示】
【発明が解決しようとする課題】
【０００５】
ところで、このような従来の油圧式動力伝達装置にあっては、車両の急発進時や急制動時に、回転速度差が一時的に大きくなって過大なトルクを発生し、この過大なトルクに見合うように油圧式動力伝達装置はもとより、車両駆動系の強度を高めなければならず、装置の大型化とコストアップを招く問題がある。
【０００６】
そこで従来の油圧式動力伝達装置にあっては、ピストン室から低圧側に至る高圧油路の途中に、チェックボールをスプリングで閉鎖状態に支持したトルクリミッタ弁を設け、スプリング荷重を超える所定の高圧を受けた際にチェックボールにより流路を開いてピストン室からドレーンさせ、過大トルクを抑えるようにしている。
【０００７】
しかしながら、このような従来の油圧式動力伝達装置に対するトルクリミッタ機構としは、例えばロータに設けた複数のピストン室の各々にトルクリミッタ弁を個別に設ける必要があるため、構造が複雑化し、コストアップになるという問題がある。
【０００８】
本発明は、簡単な構造で急発進時や急制動時の過大トルクを抑制するトルクリミッタ機構を備えた油圧式動力伝達装置を提供することを目的とする。
【課題を解決するための手段】
【０００９】
この目的を達成するため本発明は次のように構成する。本発明は、
前輪と後輪を個別に駆動する２軸の内の第１軸に連結され、内側面に２つ以上のカム山を有するカム面を形成したハウジングと、
第２軸に連結されると共に、ハウジング内に回転自在にかつ対向的に収納され、複数のピストン室をカム面に面して軸方向に形成し、ピストン室のカム面の反対側にピストン室に連通する吸入連通路と各吸入連通路を連通する環状の吸入連通溝を設けると共に、流動抵抗発生手段としてのオリフィスを備えたピストン室に連通する吸入吐出連通路と各吸入吐出連通路を連通する環状の吸入吐出連通溝を設けたロータと、
複数のピストン室の各々に、リターンスプリングの押圧を受けて往復移動自在に収納されると共に、第１軸と第２軸間の相対回転時に前記カム面によって駆動される複数のピストンと、
ロータの吸入連通溝及び吸入吐出連通溝を形成した端面側にハウジングに固定して配置され、吸入吐出連通溝を閉鎖すると共に、吸入連通溝を外部の低圧室に連通する共通吸入口を開口したワッシャ部材と、
を備え、第１軸と第２軸の軸間の回転速度差に応じたトルクを伝達する油圧式動力伝達装置を対象とする。
【００１０】
このような油圧式動力伝達装置につき本発明は、回転速度差の急激な増加に伴って発生する過大トルクを所定値に制限するトルクリミット機構として、
ワッシャ部材の内周側を支持するハウジングの端面に、ワッシャ部材を浮動状態に支持する逃し凹部を前記カム面のカム斜面に対応して円周方向の複数箇所に分離形成し、吸入連通路を介してワッシャ部材に加わる油圧が所定の設定圧を超えた際のワッシャ部材の逃し凹部への変形によりピストン室の高圧油をドレーンさせるトルクリミッタ機構を設けたことを特徴とする。
【００１１】
ここで、トルクリミッタ機構のリミットトルクを決める設定圧を、ワッシャ部材の厚さ、逃し凹部の径方向の長さ、及び逃し凹部の円周方向の角度範囲の少なくとも何れかを調整して設定する。
【００１２】
トルクリミッタ機構は、エンジン側からの動力伝達を受けて第１軸と第２軸の軸間の正方向相対回転により回転速度差に応じたトルクを発生するドライブ時と、車輪側からの動力伝達を受けて第１軸と第２軸の軸間に逆方向相対回転による回転速度差に応じたトルクを発生するコースト時とで、設定圧を異なる値に設定する。
【００１３】
例えばトルクリミッタ機構は、ドライブ時に吐出工程となるカム斜面に対応したワッシャ部材における逃し凹部の円周方向の角度範囲を小さくし、コースト時に吐出工程となるカム斜面に対応した逃し凹部の円周方向の角度範囲を大きくする。
【発明の効果】
【００１４】
本発明によれば、トルクリミッタ機構は、ロータのピストン室に連通した連通溝を形成した端面に接してハウジング側に固定配置されるワッシャ部材の内周側の部分について、ハウジング側に逃し凹部を形成して浮動状態で支持するという簡単な構造により、急発進時や急制動時の回転速度差の急激な上昇で必要以上の高圧がワッシャ部材に加わった際に、浮動状態に支持されたワッシャ部材の高圧が加わる部分が逃し凹部側に撓み変形してピストン室の高圧油をドレーンし、発生トルクを所定トルクに抑え、過大トルクの伝達を防止できる。
【００１５】
またワッシャ部材を撓み変形させてドレーンするための設定圧は、ワッシャ部材の厚さ、逃し凹部の径方向の長さ、又は逃し凹部の円周方向の角度範囲を変えることで、必要に応じて適宜の設定圧を決めることができる。
【００１６】
更に、急発進となるドライブ時の設定圧を高くし、急制動となるコースト時の設定圧を低くするように、例えば逃し凹部の円周方向の角度範囲を変え、ドライブ時とコースト時のトルクリミット値を異なった適切な値に設定できる。
【発明を実施するための最良の形態】
【００１７】
図１は本発明による油圧式動力伝達装置の実施形態を示した断面図であり、図２に図１における本発明によるトルクリミッタ機構の拡大断面図を示し、更に図３に図１のハウジングを右から見た端面図を示している。尚、図１は図３のＡ−Ａ断面となる。
【００１８】
図１において、本発明の油圧式動力伝達装置１０は、左右に開口した円筒状のハウジング１２を有し、ハウジング１２の内部右側にカム１４をストッパリング１５により固定している。
【００１９】
カム１４は左端面となる内面側に、円周方向にカム山を形成したカム面１６を備えている。この実施形態において、カム面１６に形成されるカム山の数は例えば４つとしている。カム１４の左側にはロータ１８が回転自在に組み込まれている。ロータ１８は軸穴２０及びこれに連通するスプライン穴２２を有し、更に左側にベアリング２４を配置している。
【００２０】
ロータ１８の軸穴２０及びスプライン穴２２、更にベアリング２４に対しては、例えばリアドライブシャフトを連結固定する。これに対しハウジング１２側にはフロントドライブシャフトを連結する。
【００２１】
ロータ１８はカム面１６側に開口したピストン室２６を円周方向に複数形成しており、ピストン室２６には軸方向に往復移動自在にピストン２８が組み込まれ、ピストン２８の背後にはリターンスプリング３２が配置され、ピストン２８の先端にはボール３０が配置され、カム面１６に当接している。この実施形態において、ロータ１８に設けているピストン室２６の数は７つとしている。
【００２２】
ロ―タ１８に設けたピストン室２６の後部、即ちカム面１６に対する反対側には、内周側に吸入連通路３４が設けられ、外周側にオリフィス３８が設けられ、オリフィス３８の左側端面には環状の吸入吐出連通溝４０を形成している。また内周側の吸入連通路３４の外側に位置するロータ端面には吸入連通溝５０が環状に形成されている。
【００２３】
ロータ１８の左側にはワッシャ部材３６が配置される。ワッシャ部材３６は固定ピン７２（図３参照）によりハウジング１２に位置決め固定されている。ワッシャ部材３６はロータ１８の端面との密着により、ロータ１８の端面に開口している吸入連通路３４、吸入連通溝５０及び吸入吐出連通溝４０のそれぞれを閉鎖している。
【００２４】
ハウジング１２の左側下部の位置には温度スイッチ５２が組み込まれ、温度スイッチ５２の先端のプランジャ５４に相対したワッシャ部材３６の位置に共通吸込口４８を開口し、吸込連通溝５０を外部の低圧室４６に連通している。
【００２５】
温度スイッチ５２は、油の温度が上昇して予め設定した所定温度に達すると作動し、プランジャ５４を共通吸入口４８に押し付けて閉鎖し、ピストン室２６に対する低圧室４６側からの油の吸入を停止することで、本発明の油圧式動力伝達装置１０のトルク伝達機能を失わせて２輪駆動状態とする。
【００２６】
カム面１６の谷に対応した４ケ所の位置に配置している吸入開口６８（図３参照）は、ピストン室２６における油の低圧室からの吸入がオリフィス３８のみから行われるが、これらのオリフィス３８からの吸入だけでは吸入量が不足することから、これを補うためカム谷のピークに対応した初期位置で補助的に油を吸入するために吸入開口６８を設けている。
【００２７】
ハウジング１２とロータ１８との間に回転速度差が生じた際のピストン２８のカム面１６によるストロークでピストン２８が左方向に移動する吐出工程において、ピストン室２６の油はオリフィス３８を通って、環状の吸入吐出連通溝４０に送り出される。このときオリフィス３８を流れる油の流動抵抗によりピストン室２６に高圧が発生し、これによってハウジング１２とロータ１８間でトルク伝達が行われる。
【００２８】
ロータ１８に設けている吐出工程にあるピストン２８のピストン室２６からは、吐出した油がオリフィス３８を通って吸入吐出連通溝４０に送り出されるが、同時に吸入工程にあるピストン２８については吸入吐出連通溝４０から油がオリフィス３８を通って吸入された状態となる。
【００２９】
このため吸入吐出連通溝４０は、吐出状態にあるピストン室２６の高圧と吸入状態にあるピストン室２６の低圧との間の中間の油圧に置かれる。即ち、吐出状態にあるピストン室２６の高圧室と吸入状態にあるピストン室２６の低圧室４６に対し、吸入吐出連通溝４０は、その間の油圧となる中圧室を構成している。
【００３０】
ハウジング１２の上部左側にはアキュームレータ室５６が形成され、ここにアキュームレータピストン５８を組み込んでおり、内部の油の体積変化に応じアキュームレータピストン５８がストロークして体積変化を吸収する。アキュームレータピストン５８の左側は大気に開放されており、したがって低圧室４６の圧力は大気圧と同じ状態にある。
【００３１】
またストッパリング１５によりハウジング１２に固定されたカム１４の外周部にはＯリング２５が組み込まれ、更にロータ１８の軸穴２０及びスプライン穴２２の外周軸部のそれぞれにはシール６０，６２が組み込まれ、内部の油を密閉状態に封止している。
【００３２】
このような油圧式動力伝達装置１０につき、急発進時または急制動時に回転速度差が一時的に大きく上昇した際の必要以上の高圧をドレーンして発生トルクを抑えるトルクリミッタ機構として、ワッシャ部材３６の内周側を支持しているハウジング１２の端面部分に逃し凹部４２を形成し、この逃し凹部４２の形成でワッシャ部材３６の吸入連通路３４が相対した内周部分を浮動状態で支持している。
【００３３】
このトルクリミッタ機構は、図２の拡大断面図で更に明らかとなる。図２において、ワッシャ部材３６の内周部分につき、ハウジング１２の端面に逃し凹部４２を形成し、吸入連通路３４に相対したワッシャ部材３６の内側部分３６ａを浮動状態で支持している。
【００３４】
このため、車両の急発進時あるいは急制動時に回転速度差が大きくなってピストン室２６に必要以上の高圧が発生すると、ピストン室２６の高圧は吸入連通路３４を介してワッシャ部材３６の内周側に加わり、所定圧を超えると、図示のように高圧による押圧を受けてワッシャ部材３６の内周部３６ａが逃し凹部４２側に撓み変形し、吸入連通路３４を低圧室側に開放し、ピストン室２６の高圧油をドレーンさせる。
【００３５】
このワッシャ部材３６の撓み変形による高圧のドレーンによりピストン室２６の油圧は規定値に抑えられ、これに対応したトルクリミット値に抑えることができる。
【００３６】
本発明のトルクリミッタ機構でトルクリミット値（ドレーン設定圧）を決める要素としては次の３つがある。
（１）ワッシャ部材３６の厚さｔ
（２）逃し凹部４２の径方向の長さｈ
（３）逃し凹部４２の円周方向の角度範囲
なお、逃し凹部４２の円周方向の角度範囲については図３の説明で明らかにする。
【００３７】
図３は図１のハウジング１２を取り出して右側から見た端面図であり、ワッシャ部材３６を配置する内部の端面部分の形状が明らかである。また図３にあっては、ロータ１８に設けているピストン２８の位置を想像線で示しており、同時にピストン２８に設けているオリフィス３８及び吸入連通路３４についても、その位置を表わしている。更に図１のカム面１６に形成している山と谷の位置を併せて示している。
【００３８】
図３のハウジング１２のワッシャ部材３６には吸入開口６８が形成され、この吸入開口６８の位置にロータ１８のピストン２８が回転してくると、図１のロータ１８の端面に形成している吸入連通路３４は、吸入スリット６８、連通溝５０及び共通吸込口４８を介して低圧室４６に連通し、カム面の谷を中心とした吸入開口６８の開口幅の範囲で低圧室４６から油をピストン室２６に吸入することになる。
【００３９】
またハウジング１２の内部端面の左下側には温度スイッチ５２が組み込まれており、この温度スイッチ５２を通る半径方向の位置及びこれに対し左右９０°異なった位置のそれぞれに、内側から外側に連通する連通溝７０が３箇所に形成され、内側と外側の低圧室を連通している。
【００４０】
更に、ハウジング１２のワッシャ部材３６が配置される内部端面の内周側には、４箇所に分けて逃し凹部４２が形成されている。逃し凹部４２の形状は、右上部の逃し凹部４２について斜線で分けて示すように、４５°の角度範囲となるドライブ時吐出工程領域６４とコースト時吐出工程領域６６について、円周方向の角度範囲を異ならせている。
【００４１】
即ち、通常走行におけるエンジン側から車輪側に動力を伝達するドライブ時吐出工程領域６４については、斜線部４２ａに示すように角度θ１の範囲を逃し凹部としている。これに対し急制動時に車輪側からエンジン側に動力が伝達されるコースト時吐出工程領域６６については、斜線部４２ｂに示すように角度θ２の範囲を逃し凹部としている。
【００４２】
このように、ドライブ時吐出工程領域６４の斜線部４２ａ の逃し凹部の角度をθ１と小さくしたことで、ワッシャ部材は斜線部４２ａの狭い領域について浮動状態にあり、斜線部４２ａで浮動状態にあるワッシャ部材の部分を撓み変形させて油をドレーンさせるための圧力は高めに設定されることになる。
【００４３】
これに対しコースト時吐出工程領域６６の斜線部４２ｂの角度θ２となる広い領域によるワッシャ部材の浮動状態の支持にあっては、ワッシャ部材を撓み変形して油をドレーンさせるための圧力は低めに設定されることになる。
【００４４】
このようなドライブ時吐出工程領域６４における斜線部４２ａの逃し凹部の角度θ１とコースト時吐出工程領域６６における斜線部４２ｂの逃し凹部の角度領域θ２を異ならせることで、ドライブ時のトルクリミット値（ドレーン設定圧）を高くし、コースト時のトルクリミット値（ドレーン設定圧）を低くすることができる。
【００４５】
図４は本発明の油圧式動力伝達装置におけるドライブ時とコースト時のロータを固定して見たカム回転に対する吐出工程と吸入工程の説明図である。
【００４６】
図４（Ａ）は、通常走行において油圧式動力伝達装置１０がエンジン側から動力伝達を受けて相対回転した際のカム面１６の動きに対するピストン２８の往復運動をカム面１６を直線展開して示している。ドライブ時のカム面１６の回転に対しロータ１８側のピストン２８は、カム面１６の山７６の右斜面７８と左斜面８０では異なった動きをする。
【００４７】
まず右斜面７８に当接しているピストン２８は、カム面１６のドライブ時の左方向への移動によって山７６の斜面７８を下ることとなり、ピストン２８は吸入工程となる。この吸入工程にあっては、吸入吐出連通溝４０からオリフィス３８を介して油を吸入する。
【００４８】
一方、山７６の左斜面８０に当接しているピストン２８は、カム面１６のドライブ時の移動により押し上げられ吐出工程となっている。この吐出工程にあっては、ピストン室２６からの油はオリフィス３８を通って吸入吐出連通溝４０に吐出され、オリフィス３８を通る時の流動抵抗によりピストン室２６に高圧を発生し、これによってロータとハウジング間でトルク伝達を行う。
【００４９】
図４（Ｂ）は急制動により車輪側から動力伝達を受けるコースト時のカム面１６とロータの相対回転によるピストンの動きを示しており、ロータ側を固定し、カム面１６側が回転する状態で、直線展開して表わしている。
【００５０】
この急制動時となるコースト時にあっては、図４（Ａ）のドライブ時に対してカム面１６の回転方向が矢印で示すように逆方向となっている。このため、山７６の右斜面７８によりピストン２８が押し上げられて吐出工程となり、一方、山７６の左斜面８０によりピストン２８は下げられて吸入工程となっている。
【００５１】
図５（Ａ）は図４（Ａ）のドライブ時におけるカム面の山と谷に対応する吸入工程と吐出工程、更にドライブ時におけるワッシャ部材３６を浮動状態に支持する逃し凹部４２ａを斜線部で表わしている。
【００５２】
図５（Ａ）のドライブ時にあっては、ロータ回転方向は、ハウジング１２側を固定とすると左回転となっており、カム面の谷から山へ向かう工程が吐出工程となり、山から谷へ向かう工程が吸入工程となっている。
【００５３】
このドライブ時における吐出工程となる４５°の範囲に対応した斜線部４２ａで示す面積の小さな逃し凹部でワッシャ部材３６の内周側が浮動支持されており、ワッシャ部材３６の支持面積が大きいため、ドライブ時の急発進による必要以上の油が発生した場合の撓み変形によるドレーンの設定圧は高めに設定されることになる。
【００５４】
図５（Ｂ）は、図４（Ｂ）と同じコースト時につきハウジングを固定し、ロータ回転方向を右回転として吸入及び吐出工程を示している。コースト時となるロータ右回転にあっては、カム面の谷から山に向かう４５°の範囲が吐出工程、山から谷に向かう４５°の範囲が吸入工程となっている。
【００５５】
コースト時の吸入工程に位置する斜線部で示す逃し凹部４２ｂは、図５（Ａ）のドライブ時に比べ面積が大きく、ワッシャ部材３６の内周側の浮動支持部分は面積が大きくワッシャ部材３６の支持面積が小さいため、ドレーン設定圧は低めに設定されることになる。
【００５６】
図６は本発明によるトルクリミッタ特性を示したグラフ図である。図６において、横軸で示すハウジング１２とロータ１８の回転速度差ΔＮに対し、発生トルクはオリフィス３８を通る流量の２乗に比例して増加する。
【００５７】
ドライブ時にあっては、高めのトルクリミット値Ｔ１が設定されており、急発進により必要以上の高圧が発生すると、ワッシャプレートが撓んでピストン室の油を低圧側にドレーンすることで、回転速度差ΔＮが増加しても発生トルクはトルクリミット値Ｔ１に抑えられる。
【００５８】
一方、急制動時の急激な回転速度差ΔＮの上昇による必要以上の高圧の発生時にあっては、低めに設定したトルクリミット値Ｔ２に達した時にワッシャ部材の撓み変形で必要以上に発生した高圧がドレーンされ、トルクリミット値Ｔ２に抑えられる。
【００５９】
これによって、ドライブ時及びコースト時のいずれについても、急発進や急制動で生ずる過大なトルクをトルクリミット値Ｔ１，Ｔ２に抑えることができ、油圧式動力伝達装置及び車両駆動系の強度としてはトルクリミット値Ｔ１，Ｔ２に見合った強度を満足すればよく、過大トルクに対応して強度を高くする必要がなく、油圧式動力伝達装置及び車両駆動系の大型化とコストアップを防ぐことができる。
【００６０】
なお上記の実施形態にあっては、ドライブ時とコースト時につき、ワッシャ部材３６を浮動状態に支持する逃し凹部４２の面積を異ならせて、それぞれのトルクリミット値を異なる値に設定しているが、ドライブ時とコースト時で同一のトルクリミット値とすることも可能であり、必要に応じて適宜のトルクリミット値を設定することができる。
【００６１】
また上記の実施形態にあっては、ハウジング１２側に形成する逃し凹部４２の円周方向の角度範囲θ１，θ２によりドライブ時とコースト時のトルクリミット値を異ならせているが、ワッシャプレートの厚さや逃し凹部４２の径方向の長さｈを異ならせることで、ドライブ時とコースト時のトルクリミット値を変えるようにしてもよい。
【００６２】
また本発明は、その目的と利点を損なうことのない適宜の変形を含み、更に上記の実施形態に示した数値による限定は受けない。
【図面の簡単な説明】
【００６３】
【図１】本発明の一実施形態を示した断面図
【図２】図１における本発明によるトルクリミッタ機構の拡大断面図
【図３】図１のハウジングを右から見た端面図
【図４】ドライブ時とコースト時のロータを固定して見たカム面の相対回転に対する吸入吐出工程を直線展開して示した説明図
【図５】ドライブ時とコースト時のハウジングを固定して見たロータ回転に対する吸入吐出工程とワッシャ部材浮動状態に支持する逃し凹部を斜線部で示した説明図
【図６】本発明によるトルクリミッタ特性を示したグラフ図
【図７】油圧式動力伝達装置を備えた四輪駆動車の説明図
【符号の説明】
【００６４】
１０：油圧式動力伝達装置
１２：ハウジング
１４：カム
１５：ストッパリング
１６：カム面
１８：ロータ
２０：軸穴
２２：スプライン穴
２４：ベアリング
２５：Ｏリング
２６：ピストン室
２８：ピストン
３０：ボール
３２：リターンスプリング
３４：吸入連通路
３６：ワッシャ部材
３８：オリフィス
４０：吸入吐出連通溝
４２：逃し凹部
４２ａ：ドライブ用逃し凹部
４２ｂ：コースト用逃し凹部
４６：低圧室
４８：共通吸入口
５０：吸入連通溝
５２：温度スイッチ
５４：プランジャ
５６：アキュームレータ室
５８：アキュームレータピストン
６０，６２：シール
６４：ドライブ時吐出工程領域
６６：コースト時吐出工程領域
６８：吸入開口
７０：連通溝
７２：固定ピン
７４：谷
７６：山
７８，８０：斜面
【図１】
2006138434.tif 000003
【図２】
2006138434.tif 000004
【図３】
2006138434.tif 000005
【図４】
2006138434.tif 000006
【図５】
2006138434.tif 000007
【図６】
2006138434.tif 000008
【図７】
2006138434.tif 000009